(57)【要約】【課題】  簡易な構造でコンパクトであり、短時間で多くの検体を正確に分析可能な光測定装置等を提供する。【解決手段】  光源３ａ、３ｂ、３ｃそれぞれは、レンズ５を介して集光されて、ファイバ７ａ、７ｂ、７ｃに導光される。光スイッチ９は、ファイバ７ａ、７ｂ、７ｃからの光を、それぞれファイバ１１ａ、・・・、１１ｌのそれぞれに切り替えて光接続を行う。ファイバ１１の照射側端部からの光は、試料室１３の上方から内部の検体に対して照射される。検体から発生した蛍光は、検体上方でファイバ１５により受光される。光スイッチ１７は、複数のファイバ１５からの光を一括して、複数の光フィルタ２０のそれぞれに切り替えて光接続が可能である。それぞれの光フィルタ２０で照射光成分が除去された光はレンズ１９によって集光され、ファイバ２１によって光検出器に導光される。【選択図】図１
2012047719.tif 000002
【特許請求の範囲】
【請求項１】
マルチ光測定装置であって、
複数の光源と、前記光源からの光と光スイッチを介して光接続され、検体が入れられる複数の試料室それぞれに光を照射する照射用ファイバと、それぞれの前記検体からの光を受光する受光用ファイバと、前記受光用ファイバの光を光フィルタを介して検出する光検出器と、を具備し、
前記光スイッチは、
複数の前記光源または、複数の前記光源からの光がそれぞれ導入される光源側ファイバが、同心円上に円周方向で所定間隔で配置される第１の回転体と、
前記第１の回転体と対向し、複数の前記光源または前記光源側ファイバに対応する同心円上に円周方向に所定間隔で複数の前記照射用ファイバが設けられる第１の固定部と、
前記第１の回転体を回転させる駆動部と、を有し、
前記第１の回転体は、前記第１の固定部との間にギャップを形成して回転可能であり、複数の前記光源または前記光源側ファイバの端面を任意の前記照射用ファイバの端面と対向する位置に移動させることで、複数の前記光源または前記光源側ファイバと前記照射用ファイバとが、前記ギャップを介して光接続可能であることを特徴とするマルチ光測定装置。
【請求項２】
それぞれの前記検体からの光を受光する受光用ファイバからの光は、受光用ファイバ側光スイッチによって所望の光フィルタに切り替えられ、それぞれの光フィルタで所定範囲の波長が除去されて前記光検出器に導入され、
前記受光用ファイバ側光スイッチは、
前記受光用ファイバが配置される第２の固定部と、
前記第２の固定部と対向し、前記受光用ファイバと対応する同心円上に円周方向に所定間隔で複数の光フィルタ側光路が設けられる第２の回転体と、
前記第２の回転体を回転させる駆動部と、を有し、
前記第２の回転体は、前記第２の固定部との間にギャップを形成して回転可能であり、前記受光用ファイバの端面を任意の前記光フィルタ側光路の端面と対向する位置に移動させることで、前記受光用ファイバと前記光フィルタ側光路とが、前記ギャップを介して光接続可能であることを特徴とする請求項１記載のマルチ光測定装置。
【請求項３】
前記第１の回転体には、複数の光源が設置され、前記光スイッチによって前記光源を任意の照射用ファイバと光接続可能であるとともに、前記受光用ファイバ側光スイッチの前記第２の回転体には、前記光フィルタ側光路に代えて、複数の光フィルタおよび光検出器が設けられ、前記受光用ファイバ側光スイッチによって、前記受光用ファイバを任意の前記光フィルタおよび光検出器と光接続可能であることを特徴とする請求項２に記載のマルチ光測定装置。
【請求項４】
前記照射用ファイバおよび前記受光用ファイバからなる複合ファイバの端部は、複数個併設された前記試料室それぞれの直上に一列に配置された状態で固定され、前記試料室が配置されるトレイが移動することで、隣り合う列のそれぞれの前記試料室が、前記複合ファイバの下方に移動することを特徴とする請求項１から請求項３のいずれかに記載のマルチ光測定装置。
【請求項５】
前記試料室の上方に配置される光の出射部および受光部は、中央に前記照射用ファイバが配置され、前記照射用ファイバの周囲に前記照射用ファイバと同一径の６本の前記受光用ファイバが照射用ファイバの周りを囲うように、相互に隣接する受光用ファイバが隙間なく配置され、中央の照射用ファイバ１本と周囲の受光用ファイバ６本が、一体で構成されることを特徴とする請求項１から請求項４のいずれかに記載のマルチ光測定装置。
【請求項６】
マルチ光測定方法であって、
請求項１から請求項５いずれかに記載のマルチ光測定装置を用い、
第１の光源を第１の照射用ファイバと光接続させた状態で、前記検体に光を照射し、前記検体からの光を受光し、受光した光成分から、前記第１の光源に対応する照射光成分を光フィルタによって除去し、前記光検出器で前記検体からの光を検出した後、前記光スイッチを動作させて、前記第１の光源とは波長が異なる第２の光源を前記第１の照射用ファイバまたは、前記第１の照射用ファイバとは異なる検体に照射可能な第２の照射用ファイバと光接続させるか、または前記第１の光源を前記第２の照射用ファイバと光接続させることで、複数の検体に対して、複数の光源からの光を照射可能であることを特徴とするマルチ光測定方法。
【請求項７】
マルチ光測定装置に用いられるマルチ光スイッチであって、
複数の光源が同心円上に所定間隔で配置される第１の回転体と、
前記第１の回転体と対向し、前記複数の光源に対応する径方向位置に円周方向に所定間隔で第１の光ファイバ群が設けられる第１の固定部と、
前記第１の回転体を回転させる駆動部と、を有し、
前記第１の回転体は、前記第１の固定部との間にギャップを形成して回転可能であり、前記複数の光源の任意の光源を、前記第１の光ファイバ群の任意の光ファイバの端面と対向する位置に移動させることで、対向する光ファイバおよび光源が前記ギャップを介して光接続可能であることを特徴とするマルチ光スイッチ。
【請求項８】
前記第１の回転体には、前記複数の光源に代えて、外部に設置された複数の光源からの光が導入される第２の光ファイバ群が同心円上に所定間隔で配置され、
前記第１の光ファイバ群の任意の光ファイバの端面を、前記第２の光ファイバ群の任意の光ファイバの端面と対向する位置に移動させることで、対向する光ファイバ同士が前記ギャップを介して光接続可能であることを特徴とする請求項７記載のマルチ光スイッチ。
【請求項９】
前記第１の回転体と同一の回転軸で回転可能であり、複数の光フィルタおよび光検出器が同心円上に所定間隔で配置される第２の回転体と、
前記第２の回転体と対向し、前記複数の光源に対応する径方向位置に円周方向に所定間隔で第３の光ファイバ群が設けられる第２の固定部と、
前記第２の回転体を回転させる駆動部と、を有し、
前記第２の回転体は、前記第２の固定部との間にギャップを形成して回転可能であり、前記複数の光フィルタおよび光検出器の内の任意の光フィルタおよび光検出器を、前記第３の光ファイバ群の任意の光ファイバの端面と対向する位置に移動させることで、対向する光ファイバおよび光フィルタおよび光検出器が前記ギャップを介して光接続可能であることを特徴とする請求項７または請求項８に記載のマルチ光スイッチ。
【請求項１０】
前記第１の回転体には、前記複数の光源とは異なる同心円上に所定間隔で複数の光フィルタおよび光検出器が配置され、
前記第１の固定部には、前記複数の光フィルタおよび光検出器に対応する径方向位置に円周方向に所定間隔で第３の光ファイバ群が設けられ、
前記複数の光源の内、任意の光源を前記第１の光ファイバ群の任意の光ファイバの端面と対向する位置に移動させると、
前記第３のファイバ群の所定のファイバが、前記光源に対応する光フィルタおよび光検出器と前記ギャップを介して光接続されることを特徴とする請求項７または請求項８に記載のマルチ光スイッチ。
【請求項１１】
マルチ光測定装置に用いられるマルチ光スイッチであって、
複数の光フィルタが同心円上に所定間隔で配置される第１の回転体と、
前記第１の回転体と対向し、前記複数の光フィルタに対応する径方向位置に円周方向に所定間隔で光ファイバが設けられる固定部と、
前記第１の回転体と同一の回転軸で回転可能であり、前記第１の回転体と対向し、前記複数の光フィルタに対応する径方向位置に同心円上に所定間隔で複数の光検出器が配置される第２の回転体と、
前記第１の回転体を回転させる駆動部と、
前記第２の回転体を回転させる駆動部と、を有し、
前記第１の回転体は、前記固定部との間にギャップを形成して回転可能であり、前記第２の回転体は、前記第１の回転体との間にギャップを形成して回転可能であり、前記複数の光フィルタを任意の前記光検出器と対向する位置に移動させることで、対向する前記光ファイバ、前記光フィルタおよび前記光検出器が前記ギャップを介して光接続可能であることを特徴とするマルチ光スイッチ。
【請求項１２】
前記ギャップが１０μｍから１００μｍであることを特徴とする請求項７からから請求項１１のいずれかに記載のマルチ光スイッチ。
【発明の詳細な説明】
【技術分野】
【０００１】
本発明は、検体から励起される蛍光を測定するマルチ光測定装置等に関するものである。
【背景技術】
【０００２】
従来、生物のＤＮＡ、タンパク質、細胞等の検体の分析を行う方法として、検体の種類毎に特異的蛍光を付し、これに光を照射することで発光する蛍光を定量的に測定することで、検体の分析を行う方法がある。
【０００３】
例えば、検体が試料室であるウェルに入れられ、検体に対して上部または側方より蛍光物質を励起するＲＧＢレーザやＬＥＤ（Ｌｉｇｈｔ  Ｅｍｉｔｔｉｎｇ  Ｄｉｏｄｅ）を照射することで、ウェル内で発光する蛍光を光電子増倍管（ＰＭＴ：Ｐｈｏｔｏｍｕｌｔｉｐｌｉｅｒ  Ｔｕｂｅ）や光ダイオード（ＰＤ：Ｐｈｏｔｏｄｉｏｄｅ）などで測定することで、検体の分析が行われる。
【０００４】
特に、近年は、複数のウェルが設けられ、複数のウェルのそれぞれに検体が入れられ、これらを順次、自動で計測することで、より多くの検体を効率良く測定することが要求される。
【０００５】
このような、測定装置としては、たとえば、特許文献１には以下のように記されている。（以下、特許文献１の請求項１の概要）「光を出す光源を用い、検体を入れたウェルを収め、光源よりの光が該検体に照射されるように設けられた試料室に収めた検体よりの光を光検出器で検出する測定装置において、試料室の近傍に設けられる送手段によって、未測定のウェルを順次該試料室に収め、試料室に順次収められたウェル内の検体を自動的に測定することを特徴とする測定装置。」（特許文献１）。
【先行技術文献】
【特許文献】
【０００６】
【特許文献１】特開平１１−３１１６０３号公報
【発明の概要】
【発明が解決しようとする課題】
【０００７】
しかしながら、特許文献１に記載された計測装置では、励起側偏光子および蛍光側偏光子が対向する４５度の角度で固定され、光が照射され分析されるウェルが、順次所定位置に移動することで、各ウェル内の検体を測定しているが、多数のウェル内の検体を測定するためには、ウェル毎にストッカを移動させる必要がある。このため、迅速に多数のウェルの測定を行なうことが困難である。
【０００８】
たとえば、１２×８個のウェルを測定するためには、合計９６回のストッカ（ウェル）の移動および測定を繰り返す必要がある。したがって、移動回数が多く、時間を要する。
【０００９】
一方、励起側偏光子および蛍光側偏光子を複数組設置することで、移動回数を減らすことは可能であるが、それぞれの機器同士が干渉するため、設備の設置が困難であるとともに装置が大型化し、さらに、それぞれの励起側偏光子および蛍光側偏光子に対して、それぞれ光源および検出器が必要となることから、極めて高価な装置となる。
【００１０】
また、特許文献１に記載された計測装置では、各ウェル内の検体に光を照射する照射部と検体からの光を受光する受光部が別々に設置される。このため、測定部の小型化の障害となり、また、照射角度と受光角度の精密な軸合わせなどが必要となる。
【００１１】
本発明は、このような問題に鑑みてなされたもので、簡易な構造でコンパクトであり、かつ、短時間で多くの検体を正確に分析可能なマルチ蛍光測定装置等を提供することを目的とする。
【課題を解決するための手段】
【００１２】
前述した目的を達するために第１の発明は、マルチ光測定装置であって、複数の光源と前記光源からの光と光スイッチを介して光接続され、検体が入れられる複数の試料室それぞれに光を照射する照射用ファイバとそれぞれの前記検体からの光を受光する受光用ファイバと前記受光用ファイバの光を光フィルタを介して検出する光検出器を具備し、前記光スイッチは、複数の前記光源または複数の前記光源からの光がそれぞれ導入される光源側ファイバが同心円上に円周方向で所定間隔で配置される第１の回転体と前記第１の回転体と対向し複数の前記光源または前記光源側ファイバに対応する同心円上に（径方向の所定位置に）円周方向に所定間隔で複数の前記照射用ファイバが設けられる第１の固定部と前記第１の回転体を回転させる駆動部を有し、前記第１の回転体は、前記第１の固定部との間にギャップを形成して回転可能であり、複数の前記光源または前記光源側ファイバの端面を任意の前記照射用ファイバの端面と対向する位置に移動させることで、複数の前記光源または前記光源側ファイバと前記照射用ファイバとが、前記ギャップを介して光接続可能であることを特徴とするマルチ光測定装置である。ここで、第１の回転体に設けられる光源側ファイバと、第１の固定部に設けられる複数の照射用ファイバの円周方向の間隔は同一（または互いの複数倍）ピッチであることが望ましい。
【００１３】
それぞれの前記検体からの蛍光を受光する受光用ファイバからの光は、受光用ファイバ側光スイッチによって所望の光フィルタに切り替えられ、それぞれの光フィルタで所定範囲の波長が除去されて前記光検出器に導入され、前記受光用ファイバ側光スイッチは、前記受光用ファイバが配置される第２の固定部と前記第２の固定部に対向し前記受光用ファイバと対応する同心円上の（径方向の所定）位置に円周方向に所定間隔で同心円上に複数の前記光フィルタ側光路が設けられる第２の回転体と前記第２の回転体を回転させる駆動部を有し、前記第２の回転体は、前記第２の固定部との間にギャップを形成して回転可能であり、前記受光用ファイバの端面を任意の前記光フィルタ側光路の端面と対向する位置に移動させることで、前記受光用ファイバと前記光フィルタ側光路とが、前記ギャップを介して光接続可能であることが望ましい。ここで、第２の固定部に設けられる受光用ファイバと、第２の回転体に設けられる複数の光フィルタ側光路の円周方向の間隔は同一（または互いの複数倍）ピッチであることが望ましい。
また、前記第１の回転体には複数の光源が設置され、前記光スイッチによって前記光源を任意の光源側ファイバと光接続可能であるとともに、前記受光用ファイバ側光スイッチの前記第２の回転体には、前記光フィルタ側光路に代えて複数の光フィルタおよび光検出器が設けられ、前記受光用ファイバ側光スイッチによって前記受光用ファイバを任意の前記光フィルタおよび光検出器と光接続可能であってもよい。
【００１４】
前記照射用ファイバおよび前記受光用ファイバからなる複合ファイバの端部は、複数個併設された前記試料室それぞれの直上に一列に配置された状態で固定され、前記試料室が配置されるトレイが移動することで、隣り合う列のそれぞれの前記試料室が、前記複合ファイバの下方に移動可能であることが望ましい。
【００１５】
前記試料室の上方に配置される光の出射部および受光部は、中央に前記照射用ファイバが配置され、前記照射用ファイバの周囲に前記照射用ファイバと同一径の６本の前記受光用ファイバが照射用ファイバの周りを囲うように、相互に隣接する受光用ファイバが隙間なく配置され、中央の照射用ファイバ１本と周囲の受光用ファイバ６本が、一体で構成されることが望ましく、例えば、上記の構成を有する複合ファイバを用いることが望ましいが、測定に必要な光を照射して、受光できるものであれば、外周に配置されるファイバの本数は、６本以外でも良いし、中心に位置する照射用ファイバと受光用ファイバの寸法は異なるものでも良い。
【００１６】
第１の発明によれば、照射用ファイバが光スイッチを介して光源と光接続されるため、一つの光源からの光を、光スイッチを切り替えることにより、複数（マルチ）の照射用ファイバに導光することが可能である。また、光スイッチが、光源側ファイバと照射用ファイバとを回転体によって相対位置を移動させることができるため、構造が簡易であり、光路の切り替えも迅速である。
【００１７】
この際、光源側ファイバを回転体側に接続するため、検体に照射する照射用ファイバが固定され、光スイッチが動作しても、照射用ファイバに変位が生じることがない。このため、光ファイバの曲がりや振動に伴う光伝送ロスの増大や、光伝送ロスの変動が生じることがない。これにより、検体に照射される照射光の強度とウェルと複合ファイバの照射部および受光部の位置関係が変動することがないので、蛍光の測定精度を高く保つことができる。
【００１８】
また、回転体と固定部とはギャップを介しているため、回転体と固定部とが接触することによる動作不良や摩耗、光ファイバ端面への傷の発生などが生じることがない。
【００１９】
また、略同じ構造の光スイッチを、受光用ファイバ側に設けることで、受光した光を、光源や検出物等に応じて、適切な光フィルタに導くことができる。このため、照射光と蛍光とを確実に分離することができる。なお、この場合でも、光スイッチの固定部側が受光用ファイバ側となるため、受光用ファイバにおける、前述した光伝送ロスの変動等を防止することができる。
【００２０】
また、照射用ファイバおよび受光用ファイバ（以下「照射・受光部」）が一列に形成された複数の試料室上にそれぞれ配置され、試料室が配置されるトレイを、並列された照射・受光部の並列方向に垂直に移動させることで、照射・受光部を移動させることなく、全試料室上に照射・受光部を配置することが可能である。
【００２１】
すなわち、トレイは、複数列×複数段に形成された各試料室に対し、各段間の移動のみであり、各列については、複数の照射・受光部が配置されるため、トレイを移動させる必要がない。なお、各列の試料室の測定は、前述した光スイッチで切り替えることができる。このため、測定が迅速であるとともに、照射用ファイバおよび受光用ファイバが動かないため、光伝送ロス等の問題が生じることがない。
【００２２】
また、照射・受光部が、中央に照射用ファイバが配置され、照射用ファイバの周囲に照射用ファイバと同一径の受光用ファイバが照射用ファイバの周りを囲うように、相互に隣接する受光用ファイバが６本隙間なく配置されて一体に構成される（以下「複合ファイバ」と称する）ことにより、照射部と受光部が一体となるため、小型化が達成でき、また、照射光に対して強度の弱い反射光は、照射面積に対して６倍の受光面積を有するため、感度がよい。また、最密配置となるため、照射・受光部が小型となり、さらに、受光部が照射部の周囲に密に配置されるため、確実に蛍光を受光することができる。
【００２３】
第２の発明は、マルチ光測定方法であって、第１の発明にかかるマルチ光測定装置を用い、第１の光源を第１の照射用ファイバと光接続させた状態で、前記検体に光を照射し、前記検体からの蛍光を受光し、受光した光成分から、前記第１の光源に対応する照射光成分を光フィルタによって除去し、前記光検出器で前記検体からの蛍光を検出した後、前記光スイッチを動作させて、前記第１の光源とは波長が異なる第２の光源を前記第１の照射用ファイバまたは前記第１の照射用ファイバとは異なる検体に照射可能な第２の照射用ファイバと光接続させるか、または前記第１の光源を前記第２の照射用ファイバと光接続させることで、複数の検体に対して、複数の光源からの光を照射可能であることを特徴とするマルチ光測定方法である。
【００２４】
第２の発明によれば、光スイッチを用いて、光源側と照射用ファイバとを切り替えることが可能であるため、複数（マルチ）の試料室の検体に対して光スイッチを切り替えることで順次測定を行うことができる。このため、迅速な測定が可能である。
【００２５】
第３の発明は、マルチ光測定装置に用いられるマルチ光スイッチであって、複数の光源が同心円上に所定間隔で配置される第１の回転体と前記第１の回転体と対向し前記複数の光源に対応する径方向位置に円周方向に所定間隔で第１の光ファイバ群が設けられる第１の固定部と前記第１の回転体を回転させる駆動部とを有し、前記第１の回転体は前記第１の固定部との間にギャップを形成して回転可能であり、前記複数の光源の任意の光源を前記第１の光ファイバ群の任意の光ファイバの端面と対向する位置に移動させることで対向する光ファイバおよび光源が前記ギャップを介して光接続可能であることを特徴とするマルチ光スイッチである。ここで、第１の回転体に設けられる光源と、第１の固定部に設けられる複数の第１の光ファイバ群（を構成する光ファイバ）の円周方向の間隔は同一（または互いの複数倍）ピッチであることが望ましい。
【００２６】
また、前記第１の回転体には、前記複数の光源に代えて外部に設置された複数の光源からの光が導入される第２の光ファイバ群が同心円上に所定間隔で配置され、前記第１の光ファイバ群の任意の光ファイバの端面を前記第２の光ファイバ群の任意の光ファイバの端面と対向する位置に移動させることで、対向する光ファイバ同士が前記ギャップを介して光接続可能であってもよい。この場合、第１の回転体に設けられる第２の光ファイバ群（を構成する光ファイバ）と、第１の固定部に設けられる複数の第１の光ファイバ群（を構成する光ファイバ）の円周方向の間隔は同一（または互いの複数倍）ピッチであることが望ましい。
【００２７】
また、前記第１の回転体と同一の回転軸で回転可能であり複数の光フィルタおよび光検出器が同心円上に所定間隔で配置される第２の回転体と、前記第２の回転体と対向し前記複数の光源に対応する位置に円周方向に所定間隔で第３の光ファイバ群が設けられる第２の固定部と前記第２の回転体を回転させる駆動部を有し、前記第２の回転体は前記第２の固定部との間にギャップを形成して回転可能であり、任意の光フィルタおよび光検出器を前記第３の光ファイバ群の任意の光ファイバの端面と対向する位置に移動させることで、対向する光ファイバおよび光フィルタ等が前記ギャップを介して光接続可能としてもよい。ここで、第２の回転体に設けられる光フィルタおよび光検出器と、第２の固定部に設けられる複数の第３の光ファイバ群（を構成する光ファイバ）の円周方向の間隔は同一（または互いの複数倍）ピッチであることが望ましい。
【００２８】
また、前記第１の回転体に前記複数の光源とは異なる同心円上に所定間隔で複数の光フィルタおよび光検出器が配置し、前記第１の固定部に前記複数の光フィルタおよび光検出器に対応する位置に円周方向に所定間隔で第３の光ファイバ群を設け、前記複数の光源の任意の光源を前記第１の光ファイバ群の任意の光ファイバの端面と対向する位置に移動させ、前記第３のファイバ群の所定のファイバを前記光源に対応する光フィルタおよび光検出器と前記ギャップを介して光接続してもよい。
【００２９】
また、マルチ光測定装置に用いられるマルチ光スイッチであって、複数の光フィルタが同心円上に所定間隔で配置される第１の回転体と、前記第１の回転体と対向し、前記複数の光フィルタに対応する径方向位置に円周方向に所定間隔で光ファイバが設けられる固定部と、前記第１の回転体と同一の回転軸で回転可能であり、前記第１の回転体と対向し、前記複数の光フィルタに対応する径方向位置に同心円上に所定間隔で複数の光検出器が配置される第２の回転体と、前記第１の回転体を回転させる駆動部と、前記第２の回転体を回転させる駆動部と、を有し、前記第１の回転体、前記第２の回転体、前記固定部との間にそれぞれギャップを形成して回転可能であり、前記複数の光フィルタを任意の前記光検出器と対向する位置に移動させることで、対向する光ファイバおよび光フィルタおよび光検出器が前記ギャップを介して光接続可能であってもよい。ここで、第１の回転体に設けられる複数の光フィルタと、固定部に設けられる複数の光ファイバと、第２の回転体に設けられる複数の光検出器の円周方向の間隔は同一（または互いの複数倍）ピッチであることが望ましい。
【００３０】
第３の発明によれば、簡易な構造で、回転体の回転のみで第１の光ファイバ群を構成する任意の光ファイバの端面を、第２の光ファイバ群の任意の光ファイバの端面と対向する位置に移動させることが可能であるため、迅速な切り替えが可能であり、回転体と固定部との間にギャップが形成されるため、互いが接触せず、回転体の動作の妨げとなり、または摩耗等の問題がない。
【発明の効果】
【００３１】
本発明によれば、簡易な構造でコンパクトであり、短時間で多くの検体を正確に分析可能なマルチ光測定装置等を提供することができる。
【図面の簡単な説明】
【００３２】
【図１】蛍光測定装置１の構成を示す概略図。
【図２】蛍光測定装置１の光路を示すブロック図。
【図３】光スイッチ９の構成を示す概略図であり、（ａ）は正面図、（ｂ）は部分断面図。
【図４】光スイッチ９の構成を示す部分概略図であり、（ａ）は図３（ａ）のＡ方向矢視図、（ｂ）は図３（ａ）のＢ方向矢視図。
【図５】回転体３１と固定部３５との境界近傍の拡大図であり、図３（ｂ）のＣ部拡大図。
【図６】回転体３１の回転に伴い、回転体側に設けられるファイバ７ａ〜７ｃと、固定部側に設けられるファイバ１１ａ〜１１ｌの相対位置変化を示す図。
【図７】照射・受光部３９を示す概略図で、（ａ）は底面図、（ｂ）は正面図。
【図８】トレイ４１に対するウェルの配置を示す図。
【図９】トレイ４１の移動に伴う、各ウェルに対する照射・受光部の配置を示す図。
【図１０】蛍光測定装置５０の光路を示すブロック図。
【図１１】光スイッチ５１を示す図。
【図１２】蛍光測定装置６０の光路を示すブロック図。
【図１３】光スイッチ７０を示す図。
【図１４】光スイッチ８０を示す図。
【図１５】光スイッチ９０を示す図。
【図１６】光スイッチ１００を示す図。
【発明を実施するための形態】
【００３３】
（複数の光源を切り替えて複数のウェルに順次各光源からの光を照射する実施形態）
以下、図面を参照しながら、本発明の実施形態について説明する。図１は第１の実施の形態にかかるマルチ光測定装置である蛍光測定装置１を示す構成概略図であり、図２は蛍光測定装置１における光路を示すブロック図である。蛍光測定装置１は、主に、光源３（３ａ、３ｂ、３ｃ）、レンズ５、光スイッチ９、１７、光フィルタ２０（Ｆ１〜Ｆ５）、光検出器２３、およびこれらの光の導光路となる各ファイバ等から構成される。
【００３４】
光源３ａ、３ｂ、３ｃは、検体に照射する光を発する部位であり、例えばＲＧＢレーザ（半導体レーザ）やＬＥＤが使用できる。光源３ａ、３ｂ、３ｃは、それぞれ波長が異なる光を発するものであり、例えば、赤（波長６３５ｎｍ、１０ｍＷ）、緑（波長５３２ｎｍ、１０ｍＷ）、青（波長４７３ｎｍ、１０ｍＷ）の半導体レーザ等が適用できる。なお、光源としては、上記波長のものには限られず、測定する検体の種類や発光する蛍光（またはその他の光）に応じて、適用される光源の種類および個数を適宜選択することができる。
【００３５】
また、異なる波長の光源３ａ、３ｂ、３ｃは、図示を省略した制御装置によって制御され、それぞれのｏｎ／ｏｆｆ（または光シャッタ動作等）が制御され、任意の光源のみを選択して発光させることが可能である。
【００３６】
異なる波長の光源３ａ、３ｂ、３ｃそれぞれは、レンズ５を介して集光されて、ファイバ７ａ、７ｂ、７ｃに導光される。レンズ５としては、集光用レンズとして、周知のいかなるものも使用できる。
【００３７】
ファイバ７（７ａ、７ｂ、７ｃ）は、異なる波長の光源３ａ、３ｂ、３ｃからの光を光スイッチまで導くものである。ファイバ７は、プラスチックファイバであることが望ましい。プラスチックファイバとしては、例えば、コア材質がポリメタクリル酸メチル樹脂またはポリスチレンであり、クラッド材質がフッ素樹脂等で構成され、コア径が４００μｍ、クラッド厚さが１００μｍ（外径が６００μｍ）程度のものが使用できる。なお、プラスチックファイバに代えて、ガラス製ファイバを用いることもできる。ガラス製ファイバとしては、例えば１２５μｍ径のものを用いることができる。
【００３８】
光スイッチ９は、ファイバ７ａ、７ｂ、７ｃからの光を、それぞれファイバ１１ａ、１１ｂ、１１ｃ、１１ｄ、・・・、１１ｌのそれぞれに切り替えて光接続を行うものである。ファイバ１１（１１ａ、１１ｂ、１１ｃ、１１ｄ、・・・、１１ｌ）は、光を試料室に照射するための照射光路となるものである。なお、ファイバ１１は、前述したファイバ７と同様の構成であるため、重複した説明は省略する。
【００３９】
ここで、以下の図においては、異なる波長の３つの光源３ａ、３ｂ、３ｃからの光を１２のファイバに切り替える例を示すが、ファイバ１１（１１ａ、１１ｂ、１１ｃ、１１ｄ、・・・、１１ｌ）の本数は、測定する試料室の数に応じて決定される。たとえば、一列に１２個を超える試料室（ウェル）が配置される場合には、試料室数に応じた本数のファイバ１１が用いられる。また、例えば、光ファイバの本数は試料室の列数に応じて、列数と一致させるか、あるいは、試料の列数の整数分の一として、本数を整数分の一とした場合は、整数分の一のファイバを必要に応じて、所定ピッチ移動して、整数倍繰り返して測定することもできる。
【００４０】
光スイッチ９は、例えば、光源３ａからの光を、ファイバ１１ａ、１１ｂ、１１ｃ、１１ｄ、・・・、１１ｌのそれぞれ対して順次送ることができ、また、ファイバ１１ａに対して、異なる波長の光源３ａ、３ｂ、３ｃそれぞれの光を順次送ることも可能である。すなわち、光スイッチを動作させることで、複数の全ての検体に対して、全ての光源からの光を順次照射することができる。なお、光スイッチ９の詳細な構成については後述する。
【００４１】
照射用ファイバであるファイバ１１ａ、１１ｂ、１１ｃ、１１ｄ、・・・、１１ｌの下方には、試料室１３ａ、１３ｂ、１３ｃ、１３ｄ、・・・、１３ｌがそれぞれ配置される。試料室１３（１３ａ、１３ｂ、１３ｃ、１３ｄ、・・・、１３ｌ）内部には、それぞれ、測定対象となる検体があらかじめ配置される。試料室１３は、プラスチック製の容器である。
【００４２】
ファイバ１１の照射側端部からの光は、試料室１３の上方から内部の検体に対して照射される。検体には必要に応じて、予め試料ごとに特異的蛍光が付されており、検体毎に、照射された光に対応した蛍光を発生する。
【００４３】
ファイバ１１の照射側端部近傍には、受光用ファイバであるファイバ１５（１５ａ、１５ｂ、１５ｃ、１５ｄ、・・・、１５ｌ）が配置される。すなわち、検体の上方から照射され、発生した蛍光は、検体上方で受光される。なお、ファイバ１５は、前述したファイバ７と同様の構成であるため、重複した説明は省略する。このような構成にすることにより、検体上方での測定に必要な照射用ファイバと受光用ファイバなどの光学系を簡素化できるメリットがある。
【００４４】
検体への照射および受光が行われる部位においては、ファイバ１１ａ、１１ｂ、１１ｃ、１１ｄ、・・・、１１ｌそれぞれに対して、複数のファイバ１５ａ、１５ｂ、１５ｃ、１５ｄ、・・・、１５ｌが設けられ、一体で保持され、複合ファイバを構成する。すなわち、照射用ファイバの照射側端部近傍と、受光用ファイバの受光側端部近傍（以下、照射・受光部）は一体で保持される。照射・受光部の詳細は後述する。
【００４５】
それぞれの試料室１３からのファイバ１５は、束ねられた状態で光スイッチ１７に導入される。光スイッチ１７は、複数のファイバ１５からの光を一括して、複数の光フィルタ２０（Ｆ１〜Ｆ５）のそれぞれに切り替えて光接続が可能である。光フィルタＦ１〜Ｆ５は、それぞれ異なる波長の光を除去するものである。したがって、受光された光から、所望の波長（例えば照射光の波長）を除去することで、照射光に近い波長である蛍光のみを効率良く測定することができる。
【００４６】
なお、光フィルタＦ１〜Ｆ５は、照射する光源からの波長や、検体による蛍光の波長等によって使い分けられる。また、光フィルタ２０の設置数は、図示した５個に限られず、例えば異なる波長の光源３ａ、３ｂ、３ｃそれぞれに対応した光フィルタを一つずつ設けてもよく、さらに多数の光フィルタを用いてもよい。
【００４７】
それぞれの光フィルタ２０で照射光成分が除去された光（すなわち検体からの蛍光成分のみの光）はレンズ１９によって集光され、ファイバ２１によって光検出器に導光される。ファイバ２１としては、ファイバ７と同様のものが使用できる。光検出器２３としては、光電子増倍管や光ダイオードを用いることができる。光検出器２３で検出された光の強度等を測定・解析することで、所望の検体に関する分析を行うことができる。
【００４８】
以上、光源からの光が光検出器２３で検出されるまでの光路を、図２を用いて説明する。異なる波長の光源３ａ、３ｂ、３ｃそれぞれから発せられた光は、レンズ５を介してファイバ７ａ、７ｂ、７ｃそれぞれに入光する。ファイバ７ａ、７ｂ、７ｃからの光は、光スイッチ９に導入され、光スイッチ９によって、ファイバ１１ａ、１１ｂ、１１ｃ、１１ｄ,・・・、１１lに切り替えられる。ファイバ１１ａ、１１ｂ、１１ｃ、１１ｄ，・・・、１１ｌは、それぞれ試料室１３ａ、１３ｂ、１３ｃ、１３ｄ，・・・、１３lに入れられた検体に照射される。検体で発生する蛍光は、ファイバ１５ａ、１５ｂ、１５ｃ、１５ｄ・・・、１５lそれぞれにより受光される。ファイバ１５ａ、１５ｂ、１５ｃ、１５ｄ・・・、１５lはさらに光スイッチ１７により光フィルタ２０（Ｆ１〜Ｆ５）に切り替えられ、光フィルタを通過した光が、レンズ１９を介してファイバ２１に入光し、光検出器２３で検出される。
【００４９】
次に、光スイッチ９について説明する。図３は、マルチ光スイッチである光スイッチ９の構成を示す概略図であり、図３（ａ）は正面図、図３（ｂ）は部分断面図、図４は、光スイッチ９の構成を示す部分概略図であり、図４（ａ）は図３（ａ）のＡ方向矢視図、図４（ｂ）は図３（ａ）のＢ方向矢視図である。光スイッチ９は、主に、モータ２５、プーリ２７、ベルト２９、回転体３１、軸受け３３、固定部３５等から構成される。モータ２５は、プーリ２７、ベルト２９を介して回転体を駆動させる駆動部である。モータ２５としては、ステッピングモータが使用できるが、位置フィードバック機能を有するサーボモータ等を用いることが望ましい。
【００５０】
プーリ２７は、モータ２５の動力をベルト２９に伝達する部位である。なお、ベルト２９は歯付きベルトを用いることが望ましく、この場合、プーリ２７および後述する回転体３１の外周に歯付きベルトに対応した歯型を形成すればよい。
【００５１】
回転体３１は、軸受け３３を介して固定部３５の中央に設けた軸３６に取り付けられる。固定部３５は、モータ２５によっては動作せず、固定される部位であり、モータ２５とは分離して配置される。固定部とモータとを直接接触させると、固定部にモータからの振動が伝達するためである。固定部３５と回転体３１とは対向するように設けられ、固定部３５の回転体３１に対する対向面に垂直に形成された軸を中心に回転体３１が正逆方向に回転可能である。
【００５２】
軸受け３３は、回転体３１と固定部３５との距離が変動することを防ぐため、回転軸方向への変位が少ないものが望まれ、例えば、アンギュラ玉軸受けを用いることができる。
【００５３】
なお、回転体３１の駆動は、モータでなくてもよく、アクチュエータ等の種々の機器を適用することもできる。また、駆動部と回転体との動力の伝達は、ベルト２９に代えて、ギア等を用いてもよい。いずれにしても、回転体３１を、固定部３５に対して正逆方向に回転させることができればよい。
【００５４】
図４（ａ）に示すように、回転体３１には、軸芯を中心として、同心円上に所定間隔をあけて複数の穴が形成され、回転体３１を貫通するように、ファイバ７ａ、７ｂ、７ｃが設けられる。ファイバ７ａ、７ｂ、７ｃは、回転体３１の外面側から挿入され、固定部との対向面側の面位置に端面が来るように配置される。
【００５５】
同様に、固定部３５側にも、回転体３１の軸芯を中心として、ファイバ７ａ、７ｂ、７ｃと対応する同一径の同心円上に、所定間隔をあけて複数の穴が形成され、固定部３５を貫通するように、ファイバ１１ａ、１１ｂ、１１ｃ、１１ｄ、・・・、１１ｌが設けられる。ファイバ１１ａ、１１ｂ、１１ｃ、１１ｄ、・・・、１１ｌは、固定部３５の外面側から挿入され、回転体との対向面側の面位置に端面が来るように配置される。ここで、回転体３１に形成される複数の穴と、固定部３５に設けられるファイバの周方向の間隔は同一であることが望ましい。
【００５６】
図５は、図３（ｂ）のＣ位置の拡大断面図である。なお、図５においては、簡略化のため、ファイバ７およびファイバ１１を１本ずつ示す。回転体３１を貫通し、固定部側の端面と同一面にファイバ７の端面が配置される。同様に、固定部３５を貫通し、回転体側の端面と同一面にファイバ１１の端面が配置される。回転体３１を所定の位置に回転させると、図５に示すように、ファイバ７とファイバ１１とが対向するように位置する。また、回転体３１と固定部３５との間には、ギャップ３７が形成されるため、回転体３１の回転時に回転体３１と固定部３５とが接触することがない。
【００５７】
ファイバ７とファイバ１１とが対向する位置で回転体３１の動作を止め、ファイバ７側から光源からの光を送ると（図中矢印Ｄ方向）、ファイバ７の端面から光が出光し、対向するファイバ１１の端面に入光する（図中矢印Ｅ方向）。すなわち、ファイバ７とファイバ１１とが光学的に接続される。
【００５８】
なお、ギャップ３７は、部材や動作の精度から、数１０μｍ〜数１００μｍであり、望ましくは１０〜１００μｍ程度である。これに対し、前述の通り、ファイバ７、１１は、プラスチックファイバであり、外径は約５００μｍであるため、ファイバ７、１１の外径は、ギャップ３７に対して大きく、ギャップ３７での光のロス（漏れ）を最小限に抑えることができる。
【００５９】
なお、ギャップ３７において、ファイバ７から対向する位置のファイバ１１に入光せずに、ギャップ３７で漏れた光が、隣り合う他の光ファイバ１１に入光することを防ぐため、回転体３１と固定部３５との対向面には、光の反射を抑制する反射防止膜のコーティングや梨時処理等を施すことが望ましい。
【００６０】
図６は、回転体側から見た際の、ファイバ７ａ、７ｂ、７ｃとファイバ１１ａ、１１ｂ、１１ｃ、１１ｄ、・・・、１１ｌの位置関係を示す図である。なお、ファイバ７ａ、７ｂ、７ｃ位置にはハッチングを付し、ファイバ１１ａ、１１ｂ、１１ｃ、１１ｄ、・・・、１１ｌの位置は点線で示す。
【００６１】
図６（ａ）に示す状態では、ファイバ７ｃ（光源３ｃと接続される）がファイバ１１ａと対向する。したがって、光源３ｃからの光は、ファイバ７ｃからファイバ１１ａに光接続される。なお、この状態では、他のファイバ１１ｂ、１１ｃ、１１ｄ、・・・、１１ｌには、対応するファイバ７が存在しないため、ファイバ１１ｂ、１１ｃ、１１ｄ、・・・、１１ｌには光が導入されることがない。なお、ファイバ７ｃからファイバ１１ａに光が送られる際には、光源３ａ、３ｂは照射せず、ファイバ７ａ、７ｂにも光が送られることがない。
【００６２】
図６（ａ）の状態から回転体３１が回転し（図中矢印Ｆ方向）、所定間隔で配置されたファイバ１１同士の１ピッチ分だけ回転体３１を回転させると、ファイバ７ｃ、７ｂがそれぞれファイバ１１ｂ、１１ａの位置に対応する位置に移動する。この状態では、ファイバ７ｃ（光源３ｃ）は、ファイバ１１ｂと光接続され、ファイバ７ｂ（光源３ｂ）がファイバ１１ａと光接続される。なお、ファイバ７ｃ（光源３ｃ）からファイバ１１ｂに光が送られる際には、光源３ａ、３ｂが照射させず、同様に、ファイバ７ｂ（光源３ｂ）からファイバ１１ａに光が送られる際には、光源３ａ、３ｃは照射されない。
【００６３】
同様に、所定角度（ファイバ１１の配置角度）ずつ回転体を回転させ、対応する光源から光を照射することで、全てのファイバ１１ａ、１１ｂ、１１ｃ、１１ｄ、・・・、１１ｌに光源側のファイバ７ａ、７ｂ、７ｃを光接続することが可能となる。図６（ｃ）は、ファイバ７ａがファイバ１１ｌと対応する位置まで回転体３１の回転を進めた状態を示す図である。なお、図６（ａ）の状態と図６（ｃ）の状態の範囲内で、回転体３１は正逆方向に回転させることが可能である。
【００６４】
次に、照射・受光部について説明する。図７は、照射・受光部３９を示す図であり、図７（ａ）は底面図（検体と相対する面）であり、図７（ｂ）は正面図（一部ファイバの図示は省略する）である。前述の通り、ファイバ１１は照射用ファイバであり、検体に対して光を照射する部位である。一方、ファイバ１５は、検体１４から生じる蛍光を受光する受光用ファイバである。通常、検体１４に照射される光（図中矢印Ｇ方向）は強いため、１本のファイバ１１によって照射される。これに対し、検体１４から発生する蛍光（図中矢印Ｈ方向）は照射光と比較して微弱であるため、同一の受光面積では、十分に感度良く蛍光を受光することが困難である。
【００６５】
本発明では、中心にファイバ１１を配置し、これと同じ外径のファイバ１５をファイバ１１の周囲に最密に隙間なく配置する。すなわち、ファイバ１１の周囲に、ファイバ１１と接するように、且つ６本のファイバ１５が相互に隣接するファイバと接するように配置される。したがって、受光側のファイバ１５が照射側のファイバ１１に近接して配置されるため、効率良く蛍光を受光できるとともに、照射面積の６倍の受光面積を確保することができるため、微弱な蛍光であっても確実に受光することができる。なお、ファイバ１１の周りに配置するファイバ１５は、外径が同一のものが望ましいが、ファイバ１５の外径は多少小さめのものでも良い。また、この場合は、ファイバ１１の周囲に配置されるファイバは、ファイバ１１の外周に隙間なく、配置できれば６本以上でも問題ない。
【００６６】
なお、検体１４からのさらに微弱な蛍光を効率よく集めるためには、検体１４が入れられる試料室とファイバ１５の軸心をあわせる必要がある。そのためには、試料室の配置として一定の専用トレイを使用するか、もしくは、ファイバ１５の配置を高精度で調整できるようにすることが望ましい。
【００６７】
なお、ファイバ１１とファイバ１５（６本）とは、ファイババンドル等によって一体で保持して固定され、ファイバ１１は、前述した光スイッチ９と接続され、ファイバ１５は、途中でファイバ１１と分離され、分離されたファイバ１５が一括されて光スイッチ１７と接続される。ここで、ファイバ１１とファイバ１５の外径が同一で、ファイバ１５をファイバ１１の周りに一体に固定して保持する場合に、ファイバ１５が隙間なく密接して配置できるので、ファイバ端部のファイバ１１とファイバ１５を相互に動かないように固定しやすい。
【００６８】
ここで、光スイッチ１７は、光スイッチ９と略同様の構成であるが、受光用ファイバであるファイバ１５（の束）が固定部側に接続され、光フィルタ２０側が回転体と接続される。照射用ファイバおよび受光用ファイバのいずれも、光スイッチの固定部側に接続されることで、光スイッチを動作させても照射用ファイバおよび受光用ファイバが動くことがない。光フィルタ２０側の回転体には、必要に応じて、フィルタの後ろにレンズを設置しても良いし、あるいは、光フィルタ２０の後端に、光ファイバ１５の固定部と対応する位置に、それぞれ、レンズを配置する固定部を設けても良い。使用するレンズは、光ファイバの寸法に合わせたもので、例えばボールレンズを使用する。前記レンズを使用して、測定対象の蛍光を集光して、レンズの後端に所定間隔を空けて配置された光ファイバに光結合させて、光電子増倍管や光ダイオードにより蛍光強度を測定する。
【００６９】
通常、光ファイバの伝送損失で問題となるのは、光ファイバの曲がりによる損失である。すなわち、光ファイバを曲げると、コアとクラッドの境界面の全反射角が変化する。各ファイバは各装置間を湾曲して結ばれるため、一定の損失が生じているが、光ファイバに振動等が加えられると、この損失が変動し、個々のファイバによる損失の相違により測定精度が低下する。このような損失は、曲がりが小さい場合は、伝播してきた光が臨界角以下の角度になり、モード変換が起こって伝播してきた光がクラッド層に放射されるためである。
【００７０】
このため、照射光路および受光光路であるファイバ１１、１５は、その曲がり角度の変化などが生じることがないように、接続される光スイッチの固定部側に接続される。
【００７１】
次に、試料室の配置について説明する。図８は、トレイ４１を示す図であり、トレイ４１上には、複数の試料室Ｗ１１、Ｗ１２、・・・、Ｗｎｍが配置される。なお、図１等においては、試料室として１２個の例を示したが、実際には、一列にｍ個の試料室が配置され、これがｎ段（合計ｎ×ｍ個）配置される。各試料室Ｗには、あらかじめ検体が配置される。
【００７２】
まず、図９（ａ）に示すように、トレイ４１に対して、照射・受光部３９（３９ａ、３９ｂ、・・・、３９ｘ）が一列に配置される。この際、照射・受光部３９は、対応する試料室Ｗ１１〜Ｗ１ｍの上方にそれぞれ配置される。すなわち、照射・受光部３９は、一列に並列される試料室Ｗの個数と同数だけ一列に配置される。このとき、一列に配置された試料室の数ｍと、照射・受光部３９の数が等しく、ｍ＝ｘとなる。この状態で、前述した光源および光スイッチを制御して、それぞれの試料室Ｗに対して、順次、所定の光を照射して、照射毎に発生する蛍光を受光する。受光した光は適切な光フィルタを介して検出される。なお、検出された光はコンピュータ等の記憶部等に保存され、必要に応じて既存のデータ等との比較が行われ、表示部や出力部に出力される。
【００７３】
一列（Ｗ１１〜Ｗ１ｍ）の測定が終了すると、照射・受光部３９は固定されたまま、トレイ４１が、照射・受光部３９の併設方向とは垂直方向に試料室の設置ピッチ分だけ移動する（図中矢印Ｉ方向）。すなわち、照射・受光部３９の下部には、試料室Ｗ２１〜Ｗ２ｍが位置する。この状態で、前述と同様に、各試料室の検体の測定を順次実施する。以上をｎ回繰り返し、ｍ列×ｎ段の試料室全体についての測定を完了する。上記の他、例えば、測定対象とする複数の試料室を、Ｗ１１〜、Ｗ１２、・・・、Ｗ１（ｍ／２）として、１列の試料室の半分を測定後、試料室を（ｍ／２）だけ行方向に移動して、Ｗ１（ｍ／２）＋１、Ｗ１（ｍ／２）＋２、・・・、Ｗ１ｍまで測定して、さらに上記と同様に照射・受光部３９の併設方向とは垂直方向に試料室の設置ピッチ分だけ移動して測定を行なうこともできる。このように、一列（Ｗ１１〜Ｗ１ｍ）の測定を、１列の資料室の測定を２回、３回など複数回に分けて測定を行なうことができる。
【００７４】
なお、トレイ４１を動かすことで、前述したように、照射用ファイバおよび受光用ファイバが動くことがない。すなわち、トレイ４１を固定して照射・受光部３９を動かすと、照射・受光部３９のファイバが振動等により動きまたは曲がり角度の変化により損失が変化する。設置状態で有する伝送損失に対し、さらにファイバ位置の変動等による損失が重畳されるため、さらに損失が大きくなり、損失が大きくなるとともに、損失が変化することで測定精度が低下する。したがって、本発明では、照射・受光部３９側を動かすのではなく、検体を入れた測定用トレイ４１側を移動させる。
【００７５】
第１の実施の形態によれば、簡易な構造でコンパクトであり、短時間で多くの検体を正確に分析可能な蛍光測定装置１を提供することができる。たとえば、最低限の光源３と、一つの光検出器２３を用い、光スイッチ９（１７）および光源３の制御を行うことで、複数の試料室の検体を、極めて迅速に効率良く測定することができる。また、光スイッチ９（１７）は、回転体３１を所定角度で回転させるのみであるため、切り替えが迅速である。
【００７６】
また、光スイッチ９（１７）には、回転体と固定部との間にギャップが形成されるため、回転体が固定部と接触することによる動作不良や摩耗等の問題がない。したがって、確実に光接続を切り替えることができる。
【００７７】
また、光スイッチの固定部側に照射光路および受光光路（照射・受光部）が接続されるため、光スイッチの動作の際に、照射光路および受光光路が動くことがない。このため、照射光路および受光光路における光伝送損失が変動することがなく、高い精度で測定を行うことができる。
【００７８】
また、照射・受光部が、中心に配置された照射光路とこの周囲に近接するように最密に配置される受光光路とが一体で構成されるため、コンパクトであり、効率よく微弱な蛍光を受光することができる。
【００７９】
また、複数段の試料室の測定に際して、トレイ４１側を移動させることで、前述したように各試料室の測定に際して、照射光路および受光光路が動くことがない。このため、照射光路および受光光路における光伝送損失が変動することがなく、高い精度で測定を行うことができる。また、本発明の試料室の行と列を入れ換えた場合についても、その他の構成が等価である範囲においては、発明は成立するものである。
【００８０】
（複数の光源が光スイッチの回転体に直接設けられる実施形態）
次に、他の実施の形態について説明する。図１０は、第２の実施形態にかかる蛍光測定装置５０のブロック図である。なお、以下の実施形態において、図１から図９までで示した構成と同一の機能を奏する構成については、図１から図９と同一の符号を付し、重複した説明を省略する。蛍光測定装置５０は、蛍光測定装置１と略同様の構成であるが、光スイッチ９に代えて、回転体に直接光源が搭載された光スイッチ５１を有する点で蛍光測定装置１と異なる。図１０と図２を比較すると、光スイッチ５１が光スイッチ９に相当するので、光接続した後は、図２と同様の構成を有している。
【００８１】
図１１は、光スイッチ５１を示す図であり、図１１（ａ）は光スイッチ５１の正面における部分断面図、図１１（ｂ）は、回転体３１側から見た側面図である。光スイッチ５１の回転体３１には、軸芯を中心として、同心円上に所定間隔をあけて複数の光源５３（５３ａ、５３ｂ、５３ｃ）が設けられる。光源５３の先端にはレンズが設けられる。レンズの表面は、回転体３１の固定部側との対向面の面位置となる。光源５３ａ、５３ｂ、５３ｃ、は、例えばそれぞれ波長の異なる光源であり、前述した光源３ａ、３ｂ、３ｃと同様のものが使用できる。
【００８２】
同様に、固定部３５側には、光スイッチ９と同様に、異なる波長の光源５３ａ、５３ｂ、５３ｃと対応する同心円上に、所定間隔をあけて複数の穴が形成され、固定部３５を貫通するように、ファイバ１１ａ、１１ｂ、１１ｃ、１１ｄ、・・・、１１ｌが設けられる。ファイバ１１ａ、１１ｂ、１１ｃ、１１ｄ、・・・、１１ｌは、固定部３５の外面側から挿入され、回転体との対向面側の面位置に端面が来るように配置される。ここで、回転体３１に設けられる複数の光源５３と、固定部３５に設けられる穴（ファイバ１１）の周方向の間隔は同一であることが望ましい。
【００８３】
なお、レンズは固定部側に形成されてもよく、この場合、光源５３の端面が、回転体の面位置となるように配置され、レンズの表面が固定部の端面となるように配置されればよい。
【００８４】
光スイッチ５１の回転体３１を移動させることで、異なる波長のそれぞれの光源５３ａ、５３ｂ、５３ｃをファイバ１１ａ、１１ｂ、１１ｃ、１１ｄ、・・・、１１ｌに対応する位置に移動させることができる。すなわち、ファイバ１１ａ、１１ｂ、１１ｃ、１１ｄ、・・・、１１ｌそれぞれに、異なる波長の光源５３ａ、５３ｂ、５３ｃからの光を導入することができる。したがって、各ウェルに対して各光源５３からの光をそれぞれ照射することができる。
【００８５】
なお、本実施形態においては、異なる波長の光源５３ａ、５３ｂ、５３ｃは同時には照射せず、いずれかの光源のみを発光させるように制御される。この状態で光スイッチ５１で切り替えることで、各ウェルで発生する蛍光を光検出器２３により、順次測定することができる。なお、光源の設置数は３個である必要はなく、適宜設定することができる。
【００８６】
第２の実施形態によれば、第１の実施形態と同様の効果を得ることができる。また、光スイッチ５１回転体３１に対し、直接光源５３が取り付けられるため、光源５３と回転体３１とを接続するファイバが不要となる。このため、このファイバによる光伝送損失がなく、また、装置をコンパクトにすることができる。
【００８７】
（複数の光源から同時に複数のウェルに光を照射する実施形態）
次に、第３の実施の形態について説明する。図１２は、第３の実施の形態にかかる蛍光測定装置６０のブロック図である。蛍光測定装置６０は蛍光測定装置１と略同様の構成であるが、複数の試料室に同時に光を照射できる点で蛍光測定装置１と異なる。
【００８８】
第１の実施形態で示したように、複数の異なる波長の光源３ａ、３ｂ、３ｃはレンズ５を介してファイバ７ａ、７ｂ、７ｃに導入され、光スイッチによって、各照射ファイバに切り替えられて接続される。ここで、異なる波長の光源３ａ、３ｂ、３ｃおよびレンズ５およびファイバ７ａ、７ｂ、７ｃを包括して光源ユニット６１と称する。なお、前述したように、光スイッチに直接光源を設けてもよい。この場合には、光スイッチに取り付けられた状態の異なる波長の光源３ａ、３ｂ、３ｃおよびレンズ５を包括して光源ユニットとする。
【００８９】
蛍光測定装置６０では、例えば複数の光源ユニット６１が設けられる。光源ユニット６１の設置数ｓとしては、試料室１３の数ｍと同数またはｍ／ｎ（ｎ＝１、２、３、・・・（但しｓ≧１の整数））となるような数で設定される。光スイッチ６３は、各光源ユニット６１からの光に対し、それぞれ対応するファイバ１１ａ、１１ｂ、１１ｃ、１１ｄ、・・・、１１ｌに光接続する。なお、簡単のため、以下の説明では光源ユニット６１が３個に対して、試料室が１２個の場合について説明する。
【００９０】
回転体３１には、同心円上の周方向に所定間隔でファイバ７ａ（光源３ａ）、７ｂ（３ｂ）、７ｃ（３ｃ）、７ａ、７ｂ、７ｃ、７ａ、７ｂ、７ｃとなるように光源ユニット６１の設置数だけ繰り返して配置される。また、回転体３１における光源側のファイバ７の（周方向）ピッチ（または光源３のピッチ）に対して、固定部におけるファイバ１１の（周方向）ピッチを例えば３倍とする。
【００９１】
まず、光スイッチ６３の回転体を所定位置に合わせ、各光源ユニット６１のファイバ７ａを、ファイバ１１ａ、１１ｂ、１１ｃに光接続する。各光源ユニット６１の光源を発光させることで、ファイバ１１ａ、１１ｂ、１１ｃを介して同時に試料室１３ａ、１３ｂ、１３ｃに光源３ａからの光が照射される。
【００９２】
試料室１３ａ、１３ｂ、１３ｃからの蛍光は、ファイバ１５ａ、１５ｂ、１５ｃにより同時に受光される。ファイバ１５ａ、１５ｂ、１５ｃに導入された光は、光スイッチ６５に導入される。光スイッチ６５は、前述した光スイッチ１７と略同様であるが、光スイッチ１７とは異なり、蛍光測定装置６０においては、ファイバ１５ａ、１５ｂ、１５ｃ等が一括されずに別々に導入され（固定部に配置され）、また、光スイッチ６５から出射される（回転体側に配置される）光が一つとなる。すなわち、光スイッチ６５を動作することで、ファイバ１５ａ、１５ｂ、１５ｃのいずれかを選択して切り替えて出射する。
【００９３】
光スイッチ６５より出射した光は、例えばファイバを介して光スイッチ６７に導入される。光スイッチ６７は、導入された光を光フィルタ２０（Ｆ１〜Ｆ５）に切り替えるものであり、光スイッチ１７と同様の構成である。所定の光フィルタ２０を通過した光は光検出器２３によって検出される。
【００９４】
以上のように、光源３ａからの光を試料室１３ａ、１３ｂ、１３ｃに同時に照射した状態で光スイッチ６５を切り替えることで、ファイバ１５ａ、１５ｂ、１５ｃそれぞれからの光を光検出器２３で検出することができる。
【００９５】
次に、光スイッチ６３を動作させて各光源ユニット６１のファイバ７ｂを、ファイバ１１ａ、１１ｂ、１１ｃに光接続する。この際、ファイバ７（光源３）のピッチとファイバ１１のピッチが３倍異なるため、ファイバ７ａ、７ｃの位置には、ファイバ１１ａ、１１ｂ、１１ｃが位置しない。この状態で、上記動作を行うことで、光源３ｂからの光を試料室１３ａ、１３ｂ、１３ｃに同時に照射することができ、この状態で光スイッチ６５を切り替えることで、ファイバ１５ａ、１５ｂ、１５ｃそれぞれからの光を光検出器２３で検出することができる。
【００９６】
同様に、光スイッチ６３を動作させて各光源ユニット６１のファイバ７ｃを、ファイバ１１ａ、１１ｂ、１１ｃに光接続する。この状態で、上記動作を行うことで、光源３ｃからの光を試料室１３ａ、１３ｂ、１３ｃに同時に照射し、この状態で光スイッチ６５を切り替えることで、ファイバ１５ａ、１５ｂ、１５ｃそれぞれからの光を光検出器２３で検出することができる。
【００９７】
次に、光スイッチ６３を更に動作させ、各光源ユニット６１のファイバ７ａを、ファイバ１１ｄ、１１ｅ、１１ｆに光接続する。以上を繰り返して、全ての試料室に対して、各光源からの光を照射するとともに、各試料室からの蛍光を受光し、順次測定することができる。
【００９８】
なお、光源ユニット６１を試料室１３と同数設ければ、試料室１３ａ、１３ｂ、１３ｃ、・・・、１３ｌに同時に光源３ａ（または３ｂ、３ｃ）の光を同時に照射することができる。この場合、光スイッチ６５の切り替えのみで各試料室からの蛍光を検出することができる。
【００９９】
また、以上の実施の形態において、光検出器２３を複数設ければ、同時に複数の蛍光を検出することもできる。この場合には、光スイッチ６５の出射側を二つ以上にすればよい。
【０１００】
第３の実施形態によれば、第１の実施形態と同様の効果を得ることができる。また、同時に複数の試料室に光を照射するため、受光側の光スイッチ６５の切り替えのみで各試料室１３からの蛍光を検出することができる。したがって、迅速な測定が可能である。
【０１０１】
なお、上述の実施形態においては、光源ユニット６１が一つのみであってもよい。この場合には、ファイバ７とファイバ１１との周方向のピッチを同一とし、試料室１１ａ、１１ｂ、１１ｃそれぞれに、ファイバ７ａ、７ｂ、７ｃを光接続し、これを順次切り替えることで、全試料室に全光源からの光を照射すれば良い。
【０１０２】
（光源からの光を複数に分岐させて複数のウェルに光を照射する実施形態）
また、異なる波長の光源３ａ、３ｂ、３ｃからの光をそれぞれ複数に分岐させることで、光源ユニット６１の設置数を増やしたのと同じ効果を得ることができる。特に、一つの光源３からの光を試料室１３の数（例えば１２）に分岐させることができれば、一つの光源ユニット６１で、全試料室１３に同時に照射することもできる。さらに、光源３ａ、３ｂ、３ｃそれぞれからの光を試料室１３の数に分岐させて、直接試料室１３に出射させ、かつ、光源３ａ、３ｂ、３ｃのオンオフ制御を行えば、光スイッチ６３を用いなくとも、全試料室１３に、光源３ａ、３ｂ、３ｃすべての光を照射することができる。
【０１０３】
この場合でも、受光側の光スイッチ６５、光スイッチ６７を切り替えることで、各光源からの光に対する各試料室からの蛍光を順次検出することができる。
【０１０４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。また、本発明の試料室の行と列は、相互に入れ換えても、その他の構成要件が同一であれば発明は成立するものことは言うまでもない。
【０１０５】
たとえば、受光側の光スイッチを省略し、各光フィルタそれぞれに受光用ファイバを分岐させてもよい。この場合、前述の通り、一つの試料室に対して６本の受光用ファイバを用いれば、例えば、各ファイバをそれぞれの光フィルタに導入して光を検出してもよい。また、光検出器を複数使用すれば、複数の試料室の測定を同時に行うことも可能である。
【０１０６】
（複数の検出器が光スイッチの回転体に直接設けられる実施形態）
また、前述した各実施形態における各構成は互いに組み合わせることが可能であることは言うまでもない。また、光検出器側の光スイッチにおいて、前述した光源５３が直接取り付けられた光スイッチ５１のように、光スイッチ（回転体）に直接光検出器を取り付けてもよい。この場合、光フィルタを通過した光を一括して、光検出器までファイバで導入する必要がなく、よりコンパクトな測定装置を得ることができる。
【０１０７】
（複数の検出器及び光フィルタが光スイッチ回転体に直接設けられる実施形態）
さらに、光フィルタの設置数だけの光検出器を使用し、光スイッチの回転体に複数の（例えば５個の）光フィルタおよび光検出器をそれぞれ直列に設置することもできる。図１３は、光スイッチ７０を示す図であり、図１３（ａ）は光スイッチ７０の正面における部分断面図、図１３（ｂ）は、回転体３１側から見た側面図である。
【０１０８】
光スイッチ７０の回転体３１には、軸芯を中心として、同心円上に所定間隔をあけて複数の光フィルタ７１およびそれぞれの光フィルタの後方に光検出器７３（７３ａ、７３ｂ、７３ｃ、７３ｄ、７３ｅ）が設けられる。光フィルタ７１の表面は、回転体３１の固定部側との対向面の面位置となる。光フィルタ７１は、前述した光フィルタ２０と同様であり、それぞれフィルタリングする波長が異なる。
【０１０９】
同様に、固定部３５側には、光スイッチ１７と同様に、各光フィルタ７１と対応する同心円上に、所定間隔をあけて複数の穴が形成され、固定部３５を貫通するように、ファイバ１５（１５ａ、１５ｂ、１５ｃ、・・・、１５ｌ）が設けられる。ファイバ１５は、固定部３５の外面側から挿入され、回転体との対向面側の面位置に端面が来るように配置される。ここで、回転体３１に形成される複数の光フィルタ７１および光検出器７３と、固定部３５に設けられる穴（ファイバ１５）の周方向の間隔は同一であることが望ましい。
【０１１０】
光スイッチ７０の回転体３１を移動させることで、それぞれのファイバ１５に対応する位置に、光フィルタ７１および光検出器７３を移動させることができる。すなわち、ファイバ１５ａ、１５ｂ、１５ｃ、１５ｄ、・・・、１５ｌそれぞれを、各光フィルタ７１に導入することができる。したがって、各ウェルからの光に対して、任意の光フィルタ７１を選択し、直後に配置される光検出器７３で光を検出することができる。
【０１１１】
すなわち、固定部側から導入される光を回転体３１（固定部との対向面側）に設けられた光フィルタ７１で受け、光フィルタ７１の後方であって同じく回転体３１に設けられた光検出器７３で光を検出することもできる。この場合には、使用する光フィルタを光スイッチで切り替えれば、直接光フィルタを通過した光を検出することもできるため、使用するファイバを減らすことができ、光路を短くすることができる。また、前述したように、同時に複数ウェルに光を照射する場合でも、同時に複数の光を検出できるとともに、必要な光フィルタを切り替えて使用することができる。
【０１１２】
（複数の検出器及び光フィルタが各回転体に直接設けられ、光源側と測定側のスイッチが一体となった実施形態）
また、図１１に示す光スイッチ５１と図１３に示す光スイッチ７０とを同一の軸３６で結合した光スイッチ８０を用いることもできる。図１４は光スイッチ８０を示す図である。光スイッチ８０では、回転体３１ａ、３１ｂは同一の軸３６を回転軸としてそれぞれ別々に回転することができる。すなわち、回転体３１ａ、３１ｂはそれぞれモータ２５によって別々に回転される。なお、図では、ファイバ１１、１５はそれぞれ１本の例を示すが、前述のとおり、複数の光源を同時に照射して同時に複数の蛍光を検出するために、複数のファイバをそれぞれの固定部３５ａ、３５ｂに対して同心円上に接続しても良い。
【０１１３】
回転体３１ａには、同心円上に所定間隔をあけて複数の光源５３が設けられる。光源５３の先端には必要に応じてレンズが設けられる。レンズの表面は、回転体３１ａの固定部側との対向面の面位置となる。光源は、例えばそれぞれ波長の異なる光源である。
【０１１４】
同様に、固定部３５ａ側には、光源５３と対応する同心円上に、所定間隔をあけて穴（ファイバの本数に応じた数の穴）が形成され、固定部３５ａを貫通するように、ファイバ１１が設けられる。なお、前述の通り、回転体３１ａに設けられる複数の光源５３と、固定部３５ａに設けられる穴（ファイバ１１）の周方向の間隔は同一であることが望ましい。
【０１１５】
回転体３１ｂには、軸３６を中心として、同心円上に所定間隔をあけて複数の光フィルタ７１およびそれぞれの光フィルタの後方に光検出器７３が設けられる。光フィルタ７１の表面は、回転体３１ｂの固定部側との対向面の面位置となる。光フィルタ７１は、それぞれフィルタリングする波長が異なる。
【０１１６】
同様に、固定部３５ｂ側には、各光フィルタ７１と対応する同心円上に、所定間隔をあけて穴（ファイバの本数に応じた数の穴）が形成され、固定部３５ｂを貫通するように、ファイバ１５が設けられる。なお、前述の通り、回転体３１ｂに設けられる複数の光フィルタ７１および光検出器７３と、固定部３５ｂに設けられる穴（ファイバ１５）の周方向の間隔は同一であることが望ましい。
【０１１７】
スイッチ８０の回転体３１ａを移動させることで、異なる波長のそれぞれの光源５３からの光を、対応するファイバ１１に結合させることができる。すなわち、ファイバ１１に、異なる波長の光を導入することができる。したがって、各ウェルに対して各光源５３からの光をそれぞれ照射することができる。
【０１１８】
各ウェルで発生した蛍光はファイバ１５に導入される。この際、回転体３１ａを移動させることで、それぞれのファイバ１５に対応する位置に、光フィルタ７１および光検出器７３を移動させることができる。すなわち、ファイバ１５からの光を、各光フィルタ７１に導入することができる。したがって、各ウェルに照射した光の波長に応じて、所定の光フィルタ７１を選択し、直後に配置される光検出器７３で光を検出することができる。
【０１１９】
すなわち、照射する光源を切り替えて、各ウェルに対して異なる波長の光を照射することができるとともに、照射した光の波長に対応した光フィルタを選択して使用することができる。このため、発生した蛍光を確実に光検出器で検出することができる。この際、光フィルタを選択して使用可能であるため、光フィルタを各ウェルごとに（各ファイバ１５毎に）設ける必要がない。したがって、同時に複数ウェルに光を照射する場合でも、同時に複数の光を検出できるとともに、必要な光フィルタを切り替えて使用することができる。
【０１２０】
（複数の検出器及び光フィルタが同一の回転体に直接設けられる実施形態）
また、一つの回転体３１に光源５３と、光フィルタ７１および光検出器７３を設けても良い。図１５は、光スイッチ９０を示す図である。なお、図では、ファイバ１１、１５はそれぞれ１本の例を示すが、前述のとおり、複数の光源を同時に照射して同時に複数の蛍光を検出するためには、複数のファイバをそれぞれの固定部３５に接続しても良い。
【０１２１】
回転体３１は、軸３６を回転軸として回転させることができる。回転体３１には、同心円上に所定間隔をあけて、例えばそれぞれ波長の異なる複数の光源５３が設けられる。光源５３の先端には必要に応じてレンズが設けられる。固定部３５側には、光源５３と対応する同心円上に、所定間隔をあけて穴が形成され、固定部３５を貫通するように、ファイバ１１が設けられる。
【０１２２】
また、回転体３１には、軸３６中心として、同心円上に所定間隔をあけて複数の光フィルタ７１およびそれぞれの光フィルタの後方に光検出器７３が設けられる。なお、光フィルタ７１および光検出器７３は、光源５３とは異なる半径の同心円上に設けられる。また、複数の光源５３が配置される配置角度（軸３６を中心とした光源５３の配置間隔に対応する角度）と、複数の光フィルタ７１および光検出器７３が配置される配置角度（軸３６を中心とした光フィルタ７１等の配置間隔に対応する角度）は同一である。
【０１２３】
また、固定部３５側には、各光フィルタ７１と対応する同心円上に、所定間隔をあけて複数の穴が形成され、固定部３５を貫通するように、ファイバ１５が設けられる。なお、ファイバ１１とファイバ１５とは、固定部３５上の異なる半径の同心円上に設けられる。また、複数のファイバ１１とファイバ１５を使用する場合には、複数のファイバ１１が配置される配置角度（軸３６を中心としたファイバ１１の配置間隔に対応する角度）と、複数のファイバ１５が配置される配置角度（軸３６を中心としたファイバ１５の配置間隔に対応する角度）は同一である。なお、前述の通り、回転体３１に設けられる複数の光源５３と、固定部３５に設けられる穴（ファイバ１１）の周方向の間隔は同一であり、回転体３１に設けられる複数の光フィルタ７１および光検出器７３と、固定部３５に設けられる穴（ファイバ１５）の周方向の間隔は同一であることが望ましい。
【０１２４】
スイッチ９０の回転体３１を移動させることで、異なる波長のそれぞれの光源５３からの光を、対応するファイバ１１に結合させることができる。すなわち、ファイバ１１に、異なる波長の光を導入することができる。したがって、各ウェルに対して各光源５３からの光をそれぞれ照射することができる。
【０１２５】
各ウェルで発生した蛍光はファイバ１５に導入される。この際、ファイバ１５に対応する位置に、光フィルタ７１および光検出器７３が配置される。すなわち、ファイバ１５からの光を光フィルタ７１を介して光検出器７３で検出することができる。
【０１２６】
ここで、たとえば、光源５３として所定の波長（Ｒ）の光を出力した際に、この光とファイバ１１とが結合される位置に回転体３１を移動させる。すると、同時に、ファイバ１５の位置に所定の光フィルタ７１が位置する。この際にファイバ１１からの戻り光を受光するファイバ１５と結合されるフィルタ７１の位置に、対応する光源５３の波長（Ｒ）にあった光フィルタを配置することで、各ウェルに照射した光の波長に応じて、所定の光フィルタ７１が選択されて、直後に配置される光検出器７３で光を検出することができる。
【０１２７】
そして、回転体３１を所定角度回転させ、同一のファイバ１１に異なる波長の光源５３（Ｇ）を結合すると、同時に、ファイバ１５には異なる光フィルタ７１が結合される。この際に選択される光フィルタ７１として光源５３の波長（Ｇ）に対応した光フィルタを配置しておけば、照射した波長に応じた光フィルタが選択される。
【０１２８】
すなわち、光スイッチ９０は、一つの回転体３１の動作によって、光源の選択と、光フィルタの選択が同時に行われる。このため、駆動用のモータ等をそれぞれ用いる必要がなく、また、制御も容易である。また、光源の数に応じた数の光フィルタを用いれば良いため、複数のウェルごとに別々の光フィルタを用いる必要がない。
【０１２９】
なお、図１４、図１５に示した光スイッチ８０、９０では、回転体に光フィルタ７１と光検出器７３とを一体で構成する例を示したが、本発明はこれに限られない。例えば、光フィルタ７１のみを回転体に設け、光検出器７３を光フィルタが設けられる回転体とは別に配置することで、一つの光検出器７３に対して複数の光フィルタ７１を切り替えて使用することができる。
【０１３０】
例えば、一つの光源波長に対して、これより長い波長と短い波長との両者を蛍光として使用する場合がある。この場合、１つの光源（例えば波長Ａｎｍ）に対して、２種類の光フィルタ７１（波長ＡーＢｎｍ、波長Ａ＋Ｃｎｍ）が使用される。この場合のように、一つの光源に対して光フィルタ７１が二つ必要となる場合には、光スイッチを駆動させて光フィルタを回転移動させることで、一つの光源に対して複数の光フィルタを使い分けることができる。また、同時に、一つの光検出器に対して複数の光フィルタを使い分けて、それぞれの透過光を検出することができる。このため、高価な光フィルタの使用数を減らすことができる。
【０１３１】
（複数の検出器及び光フィルタが別々の回転体に設けられる実施形態）
図１６は、光スイッチ１００を示す図である。光スイッチ１００では、回転体３１ａ、３１ｂは同一の軸３６を回転軸としてそれぞれ別々に回転することができる。すなわち、回転体３１ａ、３１ｂはそれぞれモータ２５によって別々に回転される。なお、図では、ファイバ１１、１５はそれぞれ１本の例を示すが、望ましくは、前述のとおり、複数の光源を同時に照射して同時に複数の蛍光を検出するために、複数のファイバを固定部３５に対して同心円上に接続する方が良い。
【０１３２】
回転体３１ａには、同心円上に所定間隔をあけて複数の光フィルタ７１が設けられる。光フィルタ７１の表面は、回転体３１ａの固定部側との対向面の面位置となる。複数の光フィルタ７１は、例えば、それぞれ異なる波長の光を除去するものである。
【０１３３】
回転体３１ｂは、回転体３１ａと対向するように所定のギャップを開けて配置される。回転体３１ｂには、軸３６を中心として、同心円上に所定間隔をあけて複数の光検出器７３が設けられる。光検出器７３の表面は、回転体３１ｂの回転体３１ａ側との対向面の面位置となる。なお、固定部３５に設けられる複数の穴（ファイバ１５）と、回転体３１ａに設けられる複数の光フィルタ７１と、回転体３１ｂに設けられる複数の光検出器７３のそれぞれの周方向の間隔は同一であることが望ましい。
【０１３４】
光フィルタ７１と光検出器７３とは、軸３６を中心として、同一の径方向位置に設けられる。すなわち、回転体３１ａ、３１ｂの回転位置を制御することで、ある光フィルタ７１と光検出器７３とを対向させるよう配置することができる。
【０１３５】
スイッチ１００の回転体３１ａまたは回転体３１ｂの少なくとも一方を回転移動させることで、例えば、異なる波長の光を、対応する光フィルタ７１に導入し、所望の光検出器７３で検出することができる。したがって、ファイバ１５からの光を、光に応じて選定される光フィルタ７１によって、所定の波長の光を除去し、所望の光検出器７３で検出することができる。
【０１３６】
このため、使用する光フィルタ７１の選定の際、光フィルタ７１だけでなく光検出器７３も移動可能であるため、切り替えのスピードが向上する。また、測定装置のウェルの列又は行などの配列に一致する数の種類の異なる光フィルタを、それぞれ検出器の数と同数だけ用意すれば、同一の検体からの複数種の検査をより、迅速に行なうことができる。さらに、光フィルタ７１は高価であるため、光検出器７３に対して光フィルタ７１の数を少なく構成しても、測定を迅速に行なうことができる。
【符号の説明】
【０１３７】
１、５０、６０………蛍光測定装置
３、３ａ、３ｂ、３ｃ………光源
５………レンズ
７、７ａ、７ｂ、７ｃ………ファイバ
９、５１、６３………光スイッチ
１１、１１ａ、１１ｂ、１１ｃ、１１ｄ、・・・、１１ｌ………ファイバ
１３、１３ａ、１３ｂ、１３ｃ、１３ｄ………試料室
１４………検体
１５、１５ａ、１５ｂ、１５ｃ、１５ｄ………ファイバ
１７、６５、６７、７０、８０、９０、１００………光スイッチ
１９………レンズ
２０、７１………光フィルタ
２１………ファイバ
２３、７３………光検出器
２５………モータ
２７………プーリ
２９………ベルト
３１、３１ａ、３１ｂ………回転体
３３………軸受け
３５、３５ａ、３５ｂ………固定部
３６………軸
３７………ギャップ
３９………照射・受光部
４１………トレイ
６１………光源ユニット
【図１】
2012047719.tif 000003
【図２】
2012047719.tif 000004
【図３】
2012047719.tif 000005
【図４】
2012047719.tif 000006
【図５】
2012047719.tif 000007
【図６】
2012047719.tif 000008
【図７】
2012047719.tif 000009
【図８】
2012047719.tif 000010
【図９】
2012047719.tif 000011
【図１０】
2012047719.tif 000012
【図１１】
2012047719.tif 000013
【図１２】
2012047719.tif 000014
【図１３】
2012047719.tif 000015
【図１４】
2012047719.tif 000016
【図１５】
2012047719.tif 000017
【図１６】
2012047719.tif 000018